(57)【要約】      （修正有）【課題】鉛筆削り器から鉛筆を抜かなくても鉛筆の削り具合を細かく調整することができる鉛筆削り器を提供する。【解決手段】手動で鉛筆を削ることができる鉛筆削り部を備えた本体部２０と、前記本体部２０から落下してくる鉛筆の削りかすを収容するダストボックス４０と、を備え、前記本体部２０は、２つの削り刃が２つの鉛筆挿入穴の下側に配置されるように前記ダストボックス４０に組み付けられるとともに、前記鉛筆挿入穴の上側は、前記鉛筆挿入穴に挿入した鉛筆を上方から視認できるように透明な材料で形成されている。【選択図】図１
2020055262.tif 000002
【特許請求の範囲】
【請求項１】
挿入した鉛筆を回転させることにより手動で鉛筆を削ることができる鉛筆削り部を備えた本体部と、
前記本体部から落下してくる鉛筆の削りかすを収容するダストボックスと、
を備え、
前記鉛筆削り部は、鉛筆の先端を水平に挿入可能なテーパ状の鉛筆挿入穴と、前記鉛筆挿入穴に挿入された鉛筆の先端を削る削り刃と、を備え、
前記本体部は、前記削り刃が前記鉛筆挿入穴の下側に配置されるように前記ダストボックスに組み付けられるとともに、前記鉛筆挿入穴の上側は、前記鉛筆挿入穴に挿入した鉛筆を上方から視認できるように透明な材料で形成されていることを特徴とする、鉛筆削り器。
【請求項２】
前記本体部の周囲を覆うように着脱可能な蓋部を備え、
前記蓋部の周壁には、各面ごとに大きさの異なる支持孔が貫通形成されており、
前記蓋部を前記本体部に取り付ける向きを変えることで、前記鉛筆挿入穴に臨む前記支持孔の大きさを変更可能であることを特徴とする、請求項１記載の鉛筆削り器。
【請求項３】
前記蓋部を所定の方向で前記本体部に取り付けることで、前記蓋部の周壁によって前記鉛筆挿入穴を塞ぐことが可能であることを特徴とする、請求項２記載の鉛筆削り器。
【請求項４】
前記鉛筆削り部は、円錐台状の前記鉛筆挿入穴と、この円錐台状の前記鉛筆挿入穴の母線に沿って配置された前記削り刃と、を備え、先端が筒状となるように鉛筆を削ることができることを特徴とする、請求項１〜３のいずれか１項に記載の鉛筆削り器。
【請求項５】
前記本体部は、前記削り刃の長さが異なる複数の前記鉛筆削り部を備えることを特徴とする、請求項１〜４のいずれか１項に記載の鉛筆削り器。
【発明の詳細な説明】
【技術分野】
【０００１】
この発明は、削り具合を容易に調整できる鉛筆削り器に関する。
【背景技術】
【０００２】
従来、手動で鉛筆を回転させて鉛筆を削る鉛筆削り器が使用されている（例えば特許文献１参照）。こうした鉛筆削り器は、鉛筆の先端を挿入可能な円錐状の孔を備え、この孔の内部に削り刃が設けられている。鉛筆を削るときには、鉛筆削り器の孔に鉛筆の先端を挿入し、鉛筆を押し付けながら回転させることで、削り刃によって木と芯とが削られる。
【先行技術文献】
【特許文献】
【０００３】
【特許文献１】特開２０１６−３４７０６号公報
【発明の概要】
【発明が解決しようとする課題】
【０００４】
しかしながら、上記したような従来の鉛筆削り器では、鉛筆の削り具合を確かめるためには、鉛筆削り器から一度鉛筆を抜いて先端を確認する必要があった。このため、削り過ぎないようにするためには何度も鉛筆を抜いて確認しなければならず、作業が面倒であった。また、確認しながら作業をしても、微調整が困難であるため、必ずしも希望した通りの削り具合にならないという問題があった。
そこで、本発明は、鉛筆削り器から鉛筆を抜かなくても鉛筆の削り具合を細かく調整することができる鉛筆削り器を提供することを課題とする。
【課題を解決するための手段】
【０００５】
本発明は、上記した課題を解決するためになされたものであり、挿入した鉛筆を回転させることにより手動で鉛筆を削ることができる鉛筆削り部を備えた本体部と、前記本体部から落下してくる鉛筆の削りかすを収容するダストボックスと、を備え、前記鉛筆削り部は、鉛筆の先端を水平に挿入可能なテーパ状の鉛筆挿入穴と、前記鉛筆挿入穴に挿入された鉛筆の先端を削る削り刃と、を備え、前記本体部は、前記削り刃が前記鉛筆挿入穴の下側に配置されるように前記ダストボックスに組み付けられるとともに、前記鉛筆挿入穴の上側は、前記鉛筆挿入穴に挿入した鉛筆を上方から視認できるように透明な材料で形成されていることを特徴とする。
【発明の効果】
【０００６】
本発明は上記の通りであり、鉛筆挿入穴の上側は、鉛筆挿入穴に挿入した鉛筆を上方から視認できるように透明な材料で形成されている。このような構成によれば、鉛筆削り器から鉛筆を抜かなくても、鉛筆の削り具合を上方から見て確認することができるので、鉛筆の削り具合を細かく調整することができる。そして、本体部は、削り刃が鉛筆挿入穴の下側に配置されるようにダストボックスに組み付けられているため、鉛筆を削った削りかすはそのままダストボックスに落下するようになっている。このため、削りかすが鉛筆の上にたまって視認性を損なうこともない。
【０００７】
また、本体部の周囲を覆うように着脱可能な蓋部を備え、蓋部の周壁には、各面ごとに大きさの異なる支持孔が貫通形成されており、蓋部を本体部に取り付ける向きを変えることで、鉛筆挿入穴に臨む支持孔の大きさを変更可能としてもよい。このように構成すれば、支持孔によって鉛筆が支持されるので、安定して削ることができ、鉛筆が傾くことで芯が折れてしまう問題を防止することができる。また、鉛筆の太さによって支持孔の大きさを変えることができるので、様々な太さの鉛筆を安定して削ることができる。
【０００８】
また、蓋部を所定の方向で本体部に取り付けることで、蓋部の周壁によって鉛筆挿入穴を塞ぐことが可能としてもよい。このように構成すれば、持ち運び時などに鉛筆挿入穴を塞ぐことができるので、削りかすがこぼれない。
【０００９】
また、鉛筆削り部は、円錐台状の鉛筆挿入穴と、この円錐台状の鉛筆挿入穴の母線に沿って配置された削り刃と、を備え、先端が筒状となるように鉛筆を削ることができるようにしてもよい。このように構成すれば、削り刃によって鉛筆の木のみを筒状に削ることができる。そして、鉛筆の木のみを筒状に削った後に、筒状の部分を削って芯を出すようにすればよい。すなわち、まずは硬い木のみを削り、その後に、柔らかい芯を削るという２段階の鉛筆削りを実現することができる。このように２段階で鉛筆を削るようにすれば、硬い木を削るときに力を入れ過ぎて鉛筆が傾いたとしても、鉛筆の先端に芯が露出していないので芯が折れてしまうことを防止できる。また、柔らかい芯を削るときには、力を入れる必要がなく、鉛筆の先端に大きな負荷がかかることもないので、芯折れが生じにくい。
【００１０】
なお、上記したように先端が筒状となるように鉛筆を削るときには、筒状部の長さを使用者が自由に決めることができるので、どの程度まで鉛筆を削るかを使用者が判断する必要がある。本発明によれば、鉛筆の削り具合を上方から見て確認することができるので、鉛筆をどこまで削るのかを容易に判断することができる。
【００１１】
また、本体部は、削り刃の長さが異なる複数の鉛筆削り部を備えるようにしてもよい。このような構成によれば、上記したような２段階の鉛筆削りを１つの鉛筆削り器を使用して行うことができる。
【図面の簡単な説明】
【００１２】
【図１】鉛筆削り器の外観斜視図である。
【図２】鉛筆削り器の分解斜視図である。
【図３】削りユニットの外観斜視図である。
【図４】第１の鉛筆削り部を説明する図であって、（ａ）鉛筆挿入前の第１の鉛筆削り部の内部を示す図、（ｂ）鉛筆を削った後の第１の鉛筆削り部の内部を示す図、（ｃ）第１の鉛筆削り部で削られた鉛筆の先端を示す図である。
【図５】第２の鉛筆削り部を説明する図であって、（ａ）鉛筆挿入前の第２の鉛筆削り部の内部を示す図、（ｂ）鉛筆を削った後の第２の鉛筆削り部の内部を示す図、（ｃ）第２の鉛筆削り部で削られた鉛筆の先端を示す図である。
【図６】（ａ）鉛筆削り器の平面図、（ｂ）Ａ−Ａ線断面図、（ｂ）Ｂ−Ｂ線断面図である。
【図７】鉛筆削り器の使用状態を示す平面図であって、（ａ）鉛筆挿入前の図、（ｂ）第１の鉛筆削り部で鉛筆を削り始めた状態の図、（ｃ）（ｂ）から更に鉛筆を削った状態の図、（ｄ）（ｃ）から更に鉛筆を削った状態の図である。
【図８】（ａ）蓋部の平面図、（ｂ）蓋部の右側面図、（ｃ）蓋部の正面図、（ｄ）蓋部の左側面図、（ｃ）蓋部の背面図である。
【図９】本体部に蓋部を被せる様子を示す図である。
【発明を実施するための形態】
【００１３】
本発明の実施形態について、図を参照しながら説明する。
本実施形態に係る鉛筆削り器１０は、鉛筆５０を削って先を尖らせるためのものであり、図１および図２に示すように、本体部２０と、ダストボックス４０と、蓋部１１と、を備えている。
【００１４】
本体部２０は、鉛筆削り器１０に内蔵される部品であり、挿入した鉛筆５０を回転させることにより手動で鉛筆５０を削ることができる鉛筆削り部を備えている。この本体部２０は、図２に示すように、削りユニット３０と、保持台２１と、から構成されている。
【００１５】
削りユニット３０は、鉛筆削り部を構成するパーツである。この削りユニット３０は、図３に示すように、第１の鉛筆削り部３１と第２の鉛筆削り部３６との２種類の鉛筆削り部を備えている。本実施形態においては、まず第１の鉛筆削り部３１で鉛筆５０を削り、その後、第２の鉛筆削り部３６で鉛筆５０を削ることにより、２段階で鉛筆５０を削ることができる。
【００１６】
第１の鉛筆削り部３１は、鉛筆５０の先端を筒状に削るためのものである。この第１の鉛筆削り部３１は、図４（ａ）に示すように、鉛筆５０の先端を水平に挿入可能なテーパ状（円錐台状）の第１鉛筆挿入穴３３と、第１鉛筆挿入穴３３に挿入された鉛筆５０の先端を削る第１削り刃３４と、第１鉛筆挿入穴３３の奥に連続するように半円筒状に形成されたガイド部３５と、を備える。
【００１７】
第１鉛筆挿入穴３３は、内面によって略円錐台形状が形成された空洞であり、削りユニット３０の側方に開口する第１挿入口３２に連続して形成されている。この第１鉛筆挿入穴３３は、手前から奥に行くに従って次第に縮径するように形成されており、最奥部の直径（最小径）が、後述するガイド部３５と等しくなるように形成されている。
【００１８】
第１削り刃３４は、鉛筆５０の側面をテーパ状に削るためのものであり、円錐台状の第１鉛筆挿入穴３３の母線に沿って設けられている。第１削り刃３４の刃先は、第１鉛筆挿入穴３３の内面よりも少しだけ内側に突出しており、これにより、第１鉛筆挿入穴３３のテーパ面に沿って鉛筆５０を回転させたときに、第１削り刃３４によって鉛筆５０の表面が削られるようになっている。
【００１９】
ガイド部３５は、第１鉛筆挿入穴３３を通過した鉛筆５０の先端をガイドするための部位である。このガイド部３５には削り刃は設けられておらず、このガイド部３５に進入した鉛筆５０の先端はそれ以上削られない。
【００２０】
このような第１の鉛筆削り部３１を使用して鉛筆５０を削ると、図４（ｂ）に示すように、鉛筆５０が第１鉛筆挿入穴３３に設けられた第１削り刃３４によって削られながら第１挿入口３２の奥へと進む。そして、鉛筆５０の先端が筒状に削られたら、その先端はガイド部３５へと進入していく。
【００２１】
適当なところで鉛筆削りを中断すると、図４（ｃ）に示すように、鉛筆５０の軸部５１が第１鉛筆挿入穴３３によって削られることで、テーパ状の傾斜部５２が形成され、傾斜部５２の先端には木だけが筒状に削られた筒状部５３が形成される。
【００２２】
なお、本実施形態においてはガイド部３５を半円筒状に形成しているが、ガイド部３５は鉛筆５０の筒状部５３をガイドできる形状でありさえすればよい。よって、ガイド部３５は厳密に半円筒状である必要はない。例えば、ガイド部３５を円筒状に形成してもよい。
【００２３】
また、第２の鉛筆削り部３６は、第１の鉛筆削り部３１で削った鉛筆５０を更に削るためのものであり、第１の鉛筆削り部３１によって形成された筒状部５３を削って芯５５を出すためのものである。この第２の鉛筆削り部３６は、図５（ａ）に示すように、鉛筆５０の先端を水平に挿入可能なテーパ状（円錐状）の第２鉛筆挿入穴３８と、第２鉛筆挿入穴３８に挿入された鉛筆５０の先端を削る第２削り刃３９と、を備える。
【００２４】
第２鉛筆挿入穴３８は、内面によって略円錐形状が形成された空洞である。この第２鉛筆挿入穴３８は、手前から奥に行くに従って次第に縮径するように形成されている。この第２鉛筆挿入穴３８の奥は行き止まりとなっており、これよりも先に鉛筆５０が進入できないようになっている。
【００２５】
第２削り刃３９は、鉛筆５０の側面をテーパ状に削るためのものであり、第２鉛筆挿入穴３８の母線に沿って設けられている。第２削り刃３９の刃先は、第２鉛筆挿入穴３８の内面よりも少しだけ内側に突出しており、これにより、第２鉛筆挿入穴３８のテーパ面に沿って鉛筆５０を回転させたときに、第２削り刃３９によって鉛筆５０の表面が削られるようになっている。
【００２６】
第１の鉛筆削り部３１で削った鉛筆５０を、この第２の鉛筆削り部３６を使用して削ると、図５（ｂ）に示すように、鉛筆５０の筒状部５３が第２削り刃３９によって削られる。このように筒状部５３の先端が先細りに削られることで、鉛筆５０の芯５５が露出する。
【００２７】
適当なところで鉛筆削りを中断すると、図５（ｃ）に示すように、鉛筆５０の筒状部５３が第２鉛筆挿入穴３８によって削られることで、先のとがった先端部５４が形成される。詳しくは、鉛筆５０の先端には、軸部５１、傾斜部５２、筒状部５３、先端部５４が順に形成され、これにより鉛筆５０の先端が段付きの先細り形状となる。
【００２８】
なお、一度削ってある鉛筆５０の芯５５がすり減って再び鉛筆５０を削るときには、必ずしも第１の鉛筆削り部３１を使用しなくてもよい。例えば、鉛筆５０の先端に筒状部５３が残っていれば、第２の鉛筆削り部３６で先端の筒状部５３を削ることで芯５５を尖らせることができる。
【００２９】
また、第１の鉛筆削り部３１を使用せずに、最初から第２の鉛筆削り部３６を使用して鉛筆５０を削れば、従来のように円錐状に尖った形状に鉛筆５０を削ることもできる。
【００３０】
本実施形態においては、上記したような削り方を可能とするため、第１削り刃３４と第２削り刃３９とで刃の長さが異なるように設定されている。すなわち、鉛筆５０の外側のみを削る短い第１削り刃３４と、鉛筆５０の全体を削る長い第２削り刃３９と、を備えている。
【００３１】
保持台２１は、上記した削りユニット３０を装着するためのパーツである。この保持台２１は、図２に示すように、中央に削りユニット３０を装着するための保持孔２２が貫通形成されている。この保持孔２２の下端部付近の内壁面には、削りユニット３０が下方に抜け落ちないように保持するためのリブ２３が内側方向に突出形成されている。また、この保持孔２２の側部には、鉛筆５０を削りユニット３０へとガイドするための溝部２４が設けられている。
【００３２】
なお、上記した保持孔２２の内壁面は、上方から下方に行くに従って壁面間の幅が狭まるように傾斜しており、この傾斜に合わせて削りユニット３０の側面も傾斜している。このように傾斜を設けることで、保持台２１に取り付ける削りユニット３０の上下の向きが決まるようになっている。具体的には、第１削り刃３４および第２削り刃３９が、第１鉛筆挿入穴３３および第２鉛筆挿入穴３８の下側に配置される向き（図２、図６参照）でしか、削りユニット３０を保持孔２２に挿入できないようになっている。
【００３３】
このように削りユニット３０を保持台２１に装着すると、削りユニット３０の第１挿入口３２および第２挿入口３７の延長線上に、保持台２１の２つの溝部２４が配置されるようになっている。
【００３４】
ダストボックス４０は、本体部２０から落下してくる鉛筆５０の削りかすを収容するためのものであり、本体部２０の下方に配置されている。このダストボックス４０は、図２に示すように、上方が開口した箱状であり、上方の開口部を塞ぐように本体部２０を取り付け可能である。本体部２０を取り付けた状態では、ダストボックス４０の内部の収容部４１が閉じているため、収容部４１に収容された削りかすが外に出ないようになっている。また、削りかすを捨てるときには、本体部２０を取り外すだけで収容部４１を開放できるようになっている。
【００３５】
ダストボックス４０の上方に本体部２０を組み付けると、図６に示すように、第１削り刃３４および第２削り刃３９が、第１鉛筆挿入穴３３および第２鉛筆挿入穴３８の下側に配置されることになる。言い換えると、第１削り刃３４および第２削り刃３９が、ダストボックス４０の収容部４１に臨むように配置される。このため、第１削り刃３４および第２削り刃３９で削られた鉛筆５０の削りかすは、第１鉛筆挿入穴３３および第２鉛筆挿入穴３８の上方へと回ってこずに、そのまま収容部４１へと落下するようになっている。
【００３６】
蓋部１１は、図２に示すような短い四角柱状の部材であり、開放された底面側から本体部２０の周囲を覆うように着脱可能となっている。また、この蓋部１１の周壁１２には、各面ごとに大きさの異なる支持孔が貫通形成されている。本実施形態に係る蓋部１１は、図８（ａ）に示すように四角柱状であるため、周壁１２は４つの周壁面から構成されている。この４つの周壁面のうち、第１周壁面１３には、図８（ｂ）に示すように円形の第１支持孔１３ａが同径で２つ貫通形成されている。また、第２周壁面１４には、図８（ｃ）に示すように円形の第２支持孔１４ａが同径で２つ貫通形成されている。また、第３周壁面１５には、図８（ｄ）に示すように円形の第３支持孔１５ａが同径で２つ貫通形成されている。また、第４周壁面１６には、図８（ｅ）に示すように、支持孔が設けられていない。
【００３７】
なお、第１支持孔１３ａは第２支持孔１４ａよりも大径であり、第２支持孔１４ａは第３支持孔１５ａよりも大径で形成されている。また、蓋部１１を本体部２０に取り付けるときには、４つの周壁面のうちのどの周壁面が正面（第１挿入口３２および第２挿入口３７に対向する面）にくるようにも取り付けることができる。各周壁面に設けられた２つの支持孔は、蓋部１１を本体部２０に取り付けたときに、第１鉛筆挿入穴３３（第１挿入口３２）および第２鉛筆挿入穴３８（第２挿入口３７）の延長線上にくるように形成されている。
【００３８】
このため、蓋部１１を本体部２０に取り付ける向きを変えることで、第１鉛筆挿入穴３３および第２鉛筆挿入穴３８に臨む支持孔の大きさを変更可能となっている。本実施形態においては、第１支持孔１３ａの直径は約１０ｍｍとなっており、約１０ｍｍ軸の鉛筆５０を使用する場合には、第１支持孔１３ａが第１鉛筆挿入穴３３および第２鉛筆挿入穴３８に臨むように蓋部１１を本体部２０に取り付ける。また、第２支持孔１４ａの直径は約８ｍｍとなっており、約８ｍｍ軸の鉛筆５０を使用する場合には、第２支持孔１４ａが第１鉛筆挿入穴３３および第２鉛筆挿入穴３８に臨むように蓋部１１を本体部２０に取り付ける。また、第３支持孔１５ａの直径は約７ｍｍとなっており、約７ｍｍ軸の鉛筆５０を使用する場合には、第３支持孔１５ａが第１鉛筆挿入穴３３および第２鉛筆挿入穴３８に臨むように蓋部１１を本体部２０に取り付ける。
【００３９】
また、鉛筆削り器１０を使用しない場合には、図９に示すように、第４周壁面１６が第１鉛筆挿入穴３３および第２鉛筆挿入穴３８に臨むように蓋部１１を本体部２０に取り付ければよい。このように蓋部１１を本体部２０に取り付けることで、蓋部１１の周壁１２によって第１鉛筆挿入穴３３および第２鉛筆挿入穴３８を塞ぐことが可能となる。鉛筆挿入穴を塞ぐことで、鉛筆挿入穴に残留した削りかすが外に出ないので、持ち運びなどに便利である。
【００４０】
ここで、上記したような鉛筆削り器１０のパーツは、削り刃やネジなどの一部の金属部品を除いて、透明な材料（プラスチックなどの合成樹脂）で形成されている。このため、図１に示すように、蓋部１１を取り付けた状態でも本体部２０が透けて見えるようになっている。そして、図７に示すように、本体部２０も透明であるため、第１鉛筆挿入穴３３または第２鉛筆挿入穴３８に挿入した鉛筆５０を上方から視認できるようになっている。なお、本実施形態においては、蓋部１１および本体部２０をすべて透明な樹脂で形成しているが、これに限らず、少なくとも第１鉛筆挿入穴３３および第２鉛筆挿入穴３８の上側を覆う部分が透明な材料で形成されていればよい。
【００４１】
このように第１鉛筆挿入穴３３または第２鉛筆挿入穴３８に挿入した鉛筆５０を上方から視認できるため、図７に示すように、鉛筆５０の先端形状を確認しながら鉛筆５０を削ることができる。特に、第１の鉛筆削り部３１によって鉛筆５０の先端を筒状に削るときには、筒状部５３の長さを使用者が自由に決めることができるので、どの程度まで鉛筆５０を削るかを使用者が判断する必要がある。この点、本実施形態によれば、鉛筆５０の削り具合を上方から見て確認することができるので、鉛筆５０をどこまで削るのかを容易に判断することができる。
【００４２】
以上説明したように、本実施形態によれば、鉛筆挿入穴の上側は、鉛筆挿入穴に挿入した鉛筆５０を上方から視認できるように透明な材料で形成されている。このため、鉛筆削り器１０から鉛筆５０を抜かなくても、鉛筆５０の削り具合を上方から見て確認することができるので、鉛筆５０の削り具合を細かく調整することができる。そして、本体部２０は、削り刃が鉛筆挿入穴の下側に配置されるようにダストボックス４０に組み付けられているため、鉛筆５０を削った削りかすはそのままダストボックス４０に落下するようになっている。このため、削りかすが鉛筆５０の上にたまって鉛筆５０の視認性を損なうこともない。
【００４３】
また、本体部２０の周囲を覆うように着脱可能な蓋部１１を備え、蓋部１１の周壁１２には、各面ごとに大きさの異なる支持孔が貫通形成されており、蓋部１１を本体部２０に取り付ける向きを変えることで、鉛筆挿入穴に臨む支持孔の大きさを変更可能である。このため、支持孔によって鉛筆５０が支持されるので、安定して削ることができ、鉛筆５０が傾くことで芯５５が折れてしまう問題を防止することができる。また、鉛筆５０の太さによって支持孔の大きさを変えることができるので、様々な太さの鉛筆５０を安定して削ることができる。
【００４４】
また、蓋部１１を所定の方向で本体部２０に取り付けることで、蓋部１１の周壁１２によって鉛筆挿入穴を塞ぐことが可能である。このため、持ち運び時などに鉛筆挿入穴を塞ぐことができるので、削りかすがこぼれない。
【００４５】
また、第１の鉛筆削り部３１は、円錐台状の第１鉛筆挿入穴３３と、この円錐台状の第１鉛筆挿入穴３３の母線に沿って配置された第１削り刃３４と、を備え、先端が筒状となるように鉛筆５０を削ることができる。このため、第１削り刃３４によって鉛筆５０の木のみを筒状に削ることができる。そして、鉛筆５０の木のみを筒状に削った後に、筒状部５３を削って芯５５を出すようにすればよい。すなわち、まずは硬い木のみを削り、その後に、柔らかい芯５５を削るという２段階の鉛筆削りを実現することができる。このように２段階で鉛筆５０を削るようにすれば、硬い木を削るときに力を入れ過ぎて鉛筆５０が傾いたとしても、鉛筆５０の先端に芯５５が露出していないので芯５５が折れてしまうことを防止できる。また、柔らかい芯５５を削るときには、力を入れる必要がなく、鉛筆５０の先端に大きな負荷がかかることもないので、芯折れが生じにくい。
【００４６】
また、本体部２０は、削り刃の長さが異なる複数の鉛筆削り部を備えている。このため、上記したような２段階の鉛筆削りを１つの鉛筆削り器１０を使用して行うことができる。
【００４７】
なお、本実施形態においては、２段階の鉛筆削りを可能とする鉛筆削り器１０を例に挙げて説明したが、これに限らず、従来のように鉛筆削り部を１つだけ備えた鉛筆削り器１０としてもよい。この場合でも、鉛筆５０を上方から視認できるようにすれば、鉛筆５０の削り具合を細かく調整することができる。
【符号の説明】
【００４８】
１０  鉛筆削り器
１１  蓋部
１２  周壁
１３  第１周壁面
１３ａ  第１支持孔
１４  第２周壁面
１４ａ  第２支持孔
１５  第３周壁面
１５ａ  第３支持孔
１６  第４周壁面
２０  本体部
２１  保持台
２２  保持孔
２３  リブ
２４  溝部
３０  削りユニット
３１  第１の鉛筆削り部
３２  第１挿入口
３３  第１鉛筆挿入穴
３４  第１削り刃
３５  ガイド部
３６  第２の鉛筆削り部
３７  第２挿入口
３８  第２鉛筆挿入穴
３９  第２削り刃
４０  ダストボックス
４１  収容部
５０  鉛筆
５１  軸部
５２  傾斜部
５３  筒状部
５４  先端部
５５  芯
【図１】
2020055262.tif 000003
【図２】
2020055262.tif 000004
【図３】
2020055262.tif 000005
【図４】
2020055262.tif 000006
【図５】
2020055262.tif 000007
【図６】
2020055262.tif 000008
【図７】
2020055262.tif 000009
【図８】
2020055262.tif 000010
【図９】
2020055262.tif 000011